(57)【要約】  本発明は、リソース指示方法及び装置、コンピュータ記憶媒体を開示する。前記方法は、端末装置がネットワーク装置からの、アクティブ化する伝送リソース及び／又は非アクティブ化する伝送リソースを示すための第１指示情報を受信することと、前記端末装置が前記第１指示情報に基づいて、アクティブ状態である伝送リソースで、下り制御チャネルを検出し、及び／又は、非アクティブ状態である伝送リソースで、下り制御チャネルを検出しないこととを含む。
2021520695.tif 000002
【特許請求の範囲】
【請求項１】
リソース決定方法であって、
端末装置が、ネットワーク装置からの、アクティブ化する伝送リソース及び／又は非アクティブ化する伝送リソースを示すための第１指示情報を受信することと、
前記端末装置が、前記第１指示情報に基づいて、アクティブ状態である伝送リソースで、下り制御チャネルを検出し、及び／又は、非アクティブ状態である伝送リソースで、下り制御チャネルを検出しないこととを含む、前記方法。
【請求項２】
前記方法は、
前記端末装置が、前記ネットワーク装置からの第１設定情報を受信し、前記第１設定情報が、Ｎ個の伝送リソースに対して設定を行うか、又は一組の伝送リソースからＮ個の伝送リソースを選択するためのものであり、Ｎ≧２であり且つＮが整数であることを更に含むことを特徴とする
請求項１に記載の方法。
【請求項３】
前記第１設定情報は、ＲＲＣシグナリング、システム情報（ＳＩ）、残存最小システム情報（ＲＭＳＩ）、又は媒体アクセス制御制御要素（ＭＡＣ  ＣＥ）であることを特徴とする
請求項２に記載の方法。
【請求項４】
前記第１指示情報は、Ｍ１個の伝送リソースの指示情報を含み、Ｍ１は、正整数であり、第１伝送リソースは、前記Ｍ１個の伝送リソースのうちの１つの伝送リソースであり、ここで、
前記第１指示情報を受信する前に、前記第１伝送リソースがアクティブ状態である場合、前記第１指示情報を受信してから、前記第１伝送リソースを非アクティブ化し、及び／又は、
前記第１指示情報を受信する前に、前記第１伝送リソースが非アクティブ状態である場合、前記第１指示情報を受信してから、前記第１伝送リソースをアクティブ化することを特徴とする
請求項１から３のいずれか一項に記載の方法。
【請求項５】
前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数であり、第１伝送リソースは、前記Ｍ１個の伝送リソースのうちの１つの伝送リソースであり、ここで、
前記第１伝送リソースがアクティブ化指示情報に対応する場合、前記第１伝送リソースをアクティブ化するか又は前記第１伝送リソースをアクティブ状態に維持し、及び／又は、
前記第１伝送リソースが非アクティブ化指示情報に対応する場合、前記第１伝送リソースを非アクティブ化するか又は前記第１伝送リソースを非アクティブ状態に維持することを特徴とする
請求項１から３のいずれか一項に記載の方法。
【請求項６】
前記第１指示情報は、Ｍ１個の伝送リソースの指示情報を含み、Ｍ１は正整数であり、第１伝送リソースは、Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持することを特徴とする
請求項１から３のいずれか一項に記載の方法。
【請求項７】
前記伝送リソースとラベルは、対応関係にあり、前記第１指示情報は、前記Ｍ１個の伝送リソースにそれぞれ対応するラベルの指示情報を含むことを特徴とする
請求項１から６のいずれか一項に記載の方法。
【請求項８】
前記伝送リソースとＫビットのビット情報は、対応関係にあり、Ｋは正整数であり、前記第１指示情報は、前記Ｍ１個の伝送リソースに対応するＫビットのビット情報を含むことを特徴とする
請求項１から７のいずれか一項に記載の方法。
【請求項９】
前記伝送リソースとＫビットのビット情報は、対応関係にあり、Ｋは正整数であり、前記アクティブ化指示情報又は非アクティブ化指示情報は、Ｉビットのビット情報と対応関係にあり、
前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数であることを特徴とする
請求項１から８のいずれか一項に記載の方法。
【請求項１０】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースをアクティブ化するか又は前記第１伝送リソースをアクティブ状態に維持し、及び／又は、
前記第１伝送リソースに対応するビットにおける値が第２数値であれば、前記第１伝送リソースを非アクティブ化するか又は前記第１伝送リソースを非アクティブ状態に維持することを特徴とする
請求項１から３のいずれか一項に記載の方法。
【請求項１１】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定されることを特徴とする
請求項１０に記載の方法。
【請求項１２】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースの現在のアクティブ状態を非アクティブ状態に切り替えるか又は前記第１伝送リソースの現在の非アクティブ状態をアクティブ状態に切り替え、及び／又は、
前記第１伝送リソースに対応するビットにおける値が第２数値であれば、前記第１伝送リソースの現在のアクティブ状態をそのまま維持するか又は第１伝送リソースの現在の非アクティブ状態をそのまま維持することを特徴とする
請求項１から３のいずれか一項に記載の方法。
【請求項１３】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される弧を特徴とする
請求項１２に記載の方法。
【請求項１４】
前記方法は、
前記端末装置が、前記第１指示情報の受信に成功したことを示す肯定応答メッセージを前記ネットワーク装置に送信することを更に含むことを特徴とする
請求項１から１３のいずれか一項に記載の方法。
【請求項１５】
前記方法は、
前記端末装置が、アクティブ化をしようとする伝送リソースの指示情報及び／又は非アクティブ化をしようとする伝送リソースの指示情報を前記ネットワーク装置に送信することを更に含むことを特徴とする
請求項１から１４のいずれか一項に記載の方法。
【請求項１６】
前記第１指示情報は、ＤＣＩ、又はＭＡＣ  ＣＥであることを特徴とする
請求項１から１５のいずれか一項に記載の方法。
【請求項１７】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項１６に記載の方法。
【請求項１８】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項１６又は１７に記載の方法。
【請求項１９】
前記伝送リソースは、サーチスペースであり、又は前記伝送リソースは、端末装置が下り制御チャネルをモニタリングするためのリソースであることを特徴とする
請求項１から１８のいずれか一項に記載の方法。
【請求項２０】
リソース決定方法であって、
端末装置が、ネットワーク装置からの第１設定情報を受信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応することと、
前記端末装置が、前記ネットワーク装置からの第２指示情報を受信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであることとを含む、リソース決定方法。
【請求項２１】
前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含むことを特徴とする
請求項２０に記載の方法。
【請求項２２】
前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含むことを特徴とする
請求項２０に記載の方法。
【請求項２３】
前記方法は、
前記端末装置が、前記第２指示情報の受信に成功したことを示す肯定応答メッセージを前記ネットワーク装置に送信することを更に含むことを特徴とする
請求項２０から２２のいずれか一項に記載の方法。
【請求項２４】
前記方法は、
前記端末装置が、前記第１伝送リソースの少なくとも１つの伝送特性に対応する一組の望まれる設定情報を前記ネットワーク装置に送信することを更に含むことを特徴とする
請求項２０から２３のいずれか一項に記載の方法。
【請求項２５】
前記第１指示情報は、ＤＣＩ、又はＭＡＣ  ＣＥであることを特徴とする
請求項２０から２４のいずれか一項に記載の方法。
【請求項２６】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項２５に記載の方法。
【請求項２７】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項２５又は２６に記載の方法。
【請求項２８】
前記伝送リソースは、サーチスペースであり、又は前記伝送リソースは、端末装置が下り制御チャネルをモニタリングするためのリソースであることを特徴とする
請求項２０から２７のいずれか一項に記載の方法。
【請求項２９】
リソース指示方法であって、
ネットワーク装置が、端末装置に、アクティブ化する伝送リソース及び／又は非アクティブ化する伝送リソースを示すための第１指示情報を送信し、それによって、前記端末装置に、前記第１指示情報に基づいて、アクティブ状態である伝送リソースで、下り制御チャネルを検出させ、及び／又は非アクティブ状態である伝送リソースで、下り制御チャネルを検出させないことを含む、リソース指示方法。
【請求項３０】
前記方法は、
前記ネットワーク装置が、前記端末装置に第１設定情報を送信し、前記第１設定情報が、Ｎ個の伝送リソースに対して設定を行うか、又は一組の伝送リソースからＮ個の伝送リソースを選択するためのものであり、Ｎ≧２であり且つＮが整数であることを更に含むことを特徴とする
請求項２９に記載の方法。
【請求項３１】
前記第１設定情報は、ＲＲＣシグナリング、ＳＩ、ＲＭＳＩ、又はＭＡＣ  ＣＥであることを特徴とする
請求項３０に記載の方法。
【請求項３２】
前記第１指示情報は、Ｍ１個の伝送リソースの指示情報及び／又は前記Ｍ１個の伝送リソースに対応するアクティブ化指示情報又は非アクティブ化指示情報を含み、Ｍ１は正整数であることを特徴とする
請求項２９から３１のいずれか一項に記載の方法。
【請求項３３】
前記伝送リソースとラベルは、対応関係にあり、前記第１指示情報は、前記Ｍ１個の伝送リソースにそれぞれ対応するラベルの指示情報を含むことを特徴とする
請求項２９から３２のいずれか一項に記載の方法。
【請求項３４】
前記伝送リソースとＫビットのビット情報は、対応関係にあり、Ｋは正整数であり、
前記第１指示情報は、前記Ｍ１個の伝送リソースに対応するＫビットのビット情報を含むことを特徴とする
請求項２９から３３のいずれか一項に記載の方法。
【請求項３５】
前記伝送リソースとＫビットのビット情報は、対応関係にあり、Ｋは正整数であり、前記アクティブ化指示情報又は非アクティブ化指示情報は、Ｉビットのビット情報と対応関係にあり、
前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数であることを特徴とする
請求項２９から３４のいずれか一項に記載の方法。
【請求項３６】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応することを特徴とする
請求項２９から３１のいずれか一項に記載の方法。
【請求項３７】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定されることを特徴とする
請求項３６に記載の方法。
【請求項３８】
前記方法は、
前記ネットワーク装置が、前記端末装置からの、前記第１指示情報の受信に成功したことを示す肯定応答メッセージを受信することを更に含むことを特徴とする
請求項２９から３７のいずれか一項に記載の方法。
【請求項３９】
前記方法は、
前記ネットワーク装置が、前記端末装置からの、アクティブ化をしようとする伝送リソースの指示情報及び／又は非アクティブ化をしようとする伝送リソースの指示情報を受信することを更に含むことを特徴とする
請求項２９から３８のいずれか一項に記載の方法。
【請求項４０】
前記第１指示情報は、ＤＣＩ、又はＭＡＣ  ＣＥであることを特徴とする
請求項２９から３９のいずれか一項に記載の方法。
【請求項４１】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項４０に記載の方法。
【請求項４２】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項４０又は４１に記載の方法。
【請求項４３】
前記伝送リソースは、サーチスペースであり、又は前記伝送リソースは、端末装置が下り制御チャネルをモニタリングするためのリソースであることを特徴とする
請求項２９から４２のいずれか一項に記載の方法。
【請求項４４】
リソース指示方法であって、
ネットワーク装置が、端末装置に第１設定情報を送信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応することと、
前記ネットワーク装置が、前記端末装置に第２指示情報を送信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであることとを含む、リソース指示方法。
【請求項４５】
前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含むことを特徴とする
請求項４４に記載の方法。
【請求項４６】
前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含むことを特徴とする
請求項４４に記載の方法。
【請求項４７】
前記方法は、
前記ネットワーク装置が、前記端末装置からの、前記第２指示情報の受信に成功したことを示す肯定応答メッセージを受信することを更に含むことを特徴とする
請求項４４から４６のいずれか一項に記載の方法。
【請求項４８】
前記方法は、
前記ネットワーク装置が、前記端末装置からの、前記第１伝送リソースの少なくとも１つの伝送特性に対応する一組の望まれる設定情報を受信することを更に含むことを特徴とする
請求項４４から４７のいずれか一項に記載の方法。
【請求項４９】
前記第１指示情報は、ＤＣＩ、又はＭＡＣ  ＣＥであることを特徴とする
請求項４４から４８のいずれか一項に記載の方法。
【請求項５０】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項４９に記載の方法。
【請求項５１】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項４９又は５０に記載の方法。
【請求項５２】
前記伝送リソースは、サーチスペースであり、又は前記伝送リソースは、端末装置が下り制御チャネルをモニタリングするためのリソースであることを特徴とする
請求項４４から５１のいずれか一項に記載の方法。
【請求項５３】
リソース決定装置であって、
ネットワーク装置からの、アクティブ化する伝送リソース及び／又は非アクティブ化する伝送リソースを示すための第１指示情報を受信するように構成される第１受信ユニットと、
前記第１指示情報に基づいて、アクティブ状態である伝送リソースで、下り制御チャネルを検出し、及び／又は、非アクティブ状態である伝送リソースで、下り制御チャネルを検出しないように構成される検出ユニットとを備える、リソース決定装置。
【請求項５４】
前記装置は、
前記ネットワーク装置からの第１設定情報を受信するように構成される第２受信ユニットを更に備え、前記第１設定情報が、Ｎ個の伝送リソースに対して設定を行うか、又は一組の伝送リソースからＮ個の伝送リソースを選択するためのものであり、Ｎ≧２であり且つＮが整数であることを特徴とする
請求項５３に記載の装置。
【請求項５５】
前記第１設定情報は、ＲＲＣシグナリング、ＳＩ、ＲＭＳＩ、又はＭＡＣ  ＣＥであることを特徴とする
請求項５４に記載の装置。
【請求項５６】
前記第１指示情報は、Ｍ１個の伝送リソースの指示情報を含み、Ｍ１は、正整数であり、第１伝送リソースは、前記Ｍ１個の伝送リソースのうちの１つの伝送リソースであり、ここで、
前記第１指示情報を受信する前に、前記第１伝送リソースがアクティブ状態である場合、前記第１指示情報を受信してから、前記第１伝送リソースを非アクティブ化し、及び／又は、
前記第１指示情報を受信する前に、前記第１伝送リソースが非アクティブ状態である場合、前記第１指示情報を受信してから、前記第１伝送リソースをアクティブ化することを特徴とする
請求項５３から５５のいずれか一項に記載の装置。
【請求項５７】
前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数であり、第１伝送リソースは、前記Ｍ１個の伝送リソースのうちの１つの伝送リソースであり、ここで、
前記第１伝送リソースがアクティブ化指示情報に対応する場合、前記第１伝送リソースをアクティブ化するか又は前記第１伝送リソースをアクティブ状態に維持し、及び／又は、
前記第１伝送リソースが非アクティブ化指示情報に対応する場合、前記第１伝送リソースを非アクティブ化するか又は前記第１伝送リソースを非アクティブ状態に維持することを特徴とする
請求項５３から５５のいずれか一項に記載の装置。
【請求項５８】
前記第１指示情報は、Ｍ１個の伝送リソースの指示情報を含み、Ｍ１は正整数であり、第１伝送リソースは、前記Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持することを特徴とする
請求項５３から５５のいずれか一項に記載の装置。
【請求項５９】
前記伝送リソースとラベルは、対応関係にあり、前記第１指示情報は、前記Ｍ１個の伝送リソースにそれぞれ対応するラベルの指示情報を含むことを特徴とする
請求項５３から５８のいずれか一項に記載の装置。
【請求項６０】
前記伝送リソースとＫビットのビット情報は、対応関係にあり、Ｋは正整数であり、
前記第１指示情報は、前記Ｍ１個の伝送リソースに対応するＫビットのビット情報を含むことを特徴とする
請求項５３から５９のいずれか一項に記載の装置。
【請求項６１】
前記伝送リソースとＫビットのビット情報は、対応関係にあり、Ｋは正整数であり、前記アクティブ化指示情報又は非アクティブ化指示情報は、Ｉビットのビット情報と対応関係にあり、
前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数であることを特徴とする
請求項５３から６０のいずれか一項に記載の装置。
【請求項６２】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースをアクティブ化するか又は前記第１伝送リソースをアクティブ状態に維持し、及び／又は、
前記第１伝送リソースに対応するビットにおける値が第２数値であれば、前記第１伝送リソースを非アクティブ化するか又は前記第１伝送リソースを非アクティブ状態に維持することを特徴とする
請求項５３から５５のいずれか一項に記載の装置。
【請求項６３】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定されることを特徴とする
請求項６２に記載の装置。
【請求項６４】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースの現在のアクティブ状態を非アクティブ状態に切り替えるか又は前記第１伝送リソースの現在の非アクティブ状態をアクティブ状態に切り替え、及び／又は、
前記第１伝送リソースに対応するビットにおける値が第２数値であれば、前記第１伝送リソースの現在のアクティブ状態をそのまま維持するか又は第１伝送リソースの現在の非アクティブ状態をそのまま維持することを特徴とする
請求項５３から５５のいずれか一項に記載の装置。
【請求項６５】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定されることを特徴とする
請求項６４に記載の装置。
【請求項６６】
前記装置は、
前記第１指示情報の受信に成功したことを示す肯定応答メッセージを前記ネットワーク装置に送信するように構成される第１送信ユニットを更に備えることを特徴とする
請求項５３から６５のいずれか一項に記載の装置。
【請求項６７】
前記装置は、
アクティブ化をしようとする伝送リソースの指示情報及び／又は非アクティブ化をしようとする伝送リソースの指示情報を前記ネットワーク装置に送信するように構成される第２送信ユニットを更に備えることを特徴とする
請求項５３から６６のいずれか一項に記載の装置。
【請求項６８】
前記第１指示情報は、ＤＣＩ、又はＭＡＣ  ＣＥであることを特徴とする
請求項５３から６７のいずれか一項に記載の装置。
【請求項６９】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項６８に記載の装置。
【請求項７０】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項６８又は６９に記載の装置。
【請求項７１】
前記伝送リソースは、サーチスペースであり、又は前記伝送リソースは、端末装置が下り制御チャネルをモニタリングするためのリソースであることを特徴とする
請求項５３から７０のいずれか一項に記載の装置。
【請求項７２】
リソース決定装置であって、
ネットワーク装置からの第１設定情報を受信するように構成される第１受信ユニットであって、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応する第１受信ユニットと、
前記ネットワーク装置からの第２指示情報を受信するように構成される第２受信ユニットであって、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースである第２受信ユニットとを備える、リソース決定装置。
【請求項７３】
前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含むことを特徴とする
請求項７２に記載の装置。
【請求項７４】
前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含むことを特徴とする
請求項７２に記載の装置。
【請求項７５】
前記装置は、
前記第２指示情報の受信に成功したことを示す肯定応答メッセージを前記ネットワーク装置に送信するように構成される第１送信ユニットを更に備えることを特徴とする
請求項７２から７４のいずれか一項に記載の装置。
【請求項７６】
前記装置は、
前記第１伝送リソースの少なくとも１つの伝送特性に対応する一組の望まれる設定情報を前記ネットワーク装置に送信するように構成される第２送信ユニットを更に備えることを特徴とする
請求項７２から７５のいずれか一項に記載の装置。
【請求項７７】
前記第１指示情報は、ＤＣＩ、又はＭＡＣ  ＣＥであることを特徴とする
請求項７２から７６のいずれか一項に記載の装置。
【請求項７８】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項７７に記載の装置。
【請求項７９】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項７７又は７８に記載の装置。
【請求項８０】
前記伝送リソースは、サーチスペースであり、又は前記伝送リソースは、端末装置が下り制御チャネルをモニタリングするためのリソースであることを特徴とする
請求項７２から７９のいずれか一項に記載の装置。
【請求項８１】
リソース指示装置であって、
端末装置に、アクティブ化する伝送リソース及び／又は非アクティブ化する伝送リソースを示すための第１指示情報を送信し、それによって、前記端末装置に、前記第１指示情報に基づいて、アクティブ状態である伝送リソースで、下り制御チャネルを検出させ、及び／又は非アクティブ状態である伝送リソースで、下り制御チャネルを検出させないように構成される第１送信ユニットを備える、リソース指示装置。
【請求項８２】
前記装置は、
前記端末装置に第１設定情報を送信するように構成される第２送信ユニットを更に備え、前記第１設定情報が、Ｎ個の伝送リソースに対して設定を行うか、又は一組の伝送リソースからＮ個の伝送リソースを選択するためのものであり、Ｎ≧２であり且つＮが整数であることを特徴とする
請求項８１に記載の装置。
【請求項８３】
前記第１設定情報は、ＲＲＣシグナリング、ＳＩ、ＲＭＳＩ、又はＭＡＣ  ＣＥであることを特徴とする
請求項８２に記載の装置。
【請求項８４】
前記第１指示情報は、Ｍ１個の伝送リソースの指示情報及び／又は前記Ｍ１個の伝送リソースに対応するアクティブ化指示情報又は非アクティブ化指示情報を含み、Ｍ１は正整数であることを特徴とする
請求項８１から８３のいずれか一項に記載の装置。
【請求項８５】
前記伝送リソースとラベルは、対応関係にあり、前記第１指示情報は、前記Ｍ１個の伝送リソースにそれぞれ対応するラベルの指示情報を含むことを特徴とする
請求項８１から８４のいずれか一項に記載の装置。
【請求項８６】
前記伝送リソースとＫビットのビット情報は、対応関係にあり、Ｋは正整数であり、
前記第１指示情報は、前記Ｍ１個の伝送リソースに対応するＫビットのビット情報を含むことを特徴とする
請求項８１から８５のいずれか一項に記載の装置。
【請求項８７】
前記伝送リソースとＫビットのビット情報は、対応関係にあり、Ｋは正整数であり、前記アクティブ化指示情報又は非アクティブ化指示情報は、Ｉビットのビット情報と対応関係にあり、
前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数であることを特徴とする
請求項８１から８６のいずれか一項に記載の装置。
【請求項８８】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応することを特徴とする
請求項８１から８３のいずれか一項に記載の装置。
【請求項８９】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定されることを特徴とする
請求項８８に記載の装置。
【請求項９０】
前記装置は、
前記端末装置からの、前記第１指示情報の受信に成功したことを示す肯定応答メッセージを受信するように構成される第１受信ユニットを更に備えることを特徴とする
請求項８１から８９のいずれか一項に記載の装置。
【請求項９１】
前記装置は、
前記端末装置からの、アクティブ化をしようとする伝送リソースの指示情報及び／又は非アクティブ化をしようとする伝送リソースの指示情報を受信するように構成される第２受信ユニットを更に備えることを特徴とする
請求項８１から９０のいずれか一項に記載の装置。
【請求項９２】
前記第１指示情報は、ＤＣＩ、又はＭＡＣ  ＣＥであることを特徴とする
請求項８１から９１のいずれか一項に記載の装置。
【請求項９３】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項９２に記載の装置。
【請求項９４】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項９２又は９３に記載の装置。
【請求項９５】
前記伝送リソースは、サーチスペースであり、又は前記伝送リソースは、端末装置が下り制御チャネルをモニタリングするためのリソースであることを特徴とする
請求項８１から９４のいずれか一項に記載の装置。
【請求項９６】
リソース指示装置であって、
端末装置に第１設定情報を送信するように構成される第１送信ユニットであって、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応する第１送信ユニットと、
前記端末装置に第２指示情報を送信するように構成される第２送信ユニットであって、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースである第２送信ユニットとを備える、リソース指示装置。
【請求項９７】
前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含むことを特徴とする
請求項９６に記載の装置。
【請求項９８】
前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含むことを特徴とする
請求項９６に記載の装置。
【請求項９９】
前記装置は、
前記端末装置からの、前記第２指示情報の受信に成功したことを示す肯定応答メッセージを受信するように構成される第１受信ユニットを更に備えることを特徴とする
請求項９６から９８のいずれか一項に記載の装置。
【請求項１００】
前記装置は、
前記端末装置からの、前記第１伝送リソースの少なくとも１つの伝送特性に対応する一組の望まれる設定情報を受信するように構成される第２受信ユニットを更に備えることを特徴とする
請求項９６から９９のいずれか一項に記載の装置。
【請求項１０１】
前記第１指示情報は、ＤＣＩ、又はＭＡＣ  ＣＥであることを特徴とする
請求項９６から１００のいずれか一項に記載の装置。
【請求項１０２】
前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩであることを特徴とする
請求項１０１に記載の装置。
【請求項１０３】
前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされることを特徴とする
請求項１０１又は１０２に記載の装置。
【請求項１０４】
前記伝送リソースは、サーチスペースであり、又は前記伝送リソースは、端末装置が下り制御チャネルをモニタリングするためのリソースであることを特徴とする
請求項９６から１０３のいずれか一項に記載の装置。
【請求項１０５】
コンピュータ記憶媒体であって、前記コンピュータ記憶媒体には、コンピュータによる実行可能な命令が記憶されており、該コンピュータによる実行可能な命令がプロセッサにより実行される場合、請求項１から１９のいずれか一項の方法のステップ、請求項２０ら２８のいずれか一項の方法のステップ、請求項２９から４３のいずれか一項の方法のステップ、又は請求項４４から５２のいずれか一項の方法のステップを実現させる、コンピュータ記憶媒体。
【発明の詳細な説明】
【技術分野】
【０００１】
本発明は、無線通信技術分野に関し、特にリソース指示方法及び装置、コンピュータ記憶媒体に関する。
【背景技術】
【０００２】
新しい無線（ＮＲ：Ｎｅｗ  Ｒａｄｉｏ）システムにおいて、ネットワークは、制御リソースセット（ＣＯＲＥＳＥＴ：Ｃｏｎｔｒｏｌ  Ｒｅｓｏｕｒｃｅ  Ｓｅｔ）及びサーチスペース（ＳＳ：Ｓｅａｒｃｈ  Ｓｐａｃｅ）を設定することができ、各ＣＯＲＥＳＥＴには、時間周波数リソース（例えば、どのような周波数領域リソースを占有するか、幾つの連続した時間領域シンボルを占有するか）、及び他の設定が含まれてもよい。
【０００３】
現在、ＮＲ設計において、ＣＯＲＥＳＥＴ及びＳｅａｒｃｈ  Ｓｐａｃｅはいずれも無線リソース制御（ＲＲＣ：Ｒａｄｉｏ  Ｒｅｓｏｕｒｃｅ  Ｃｏｎｔｒｏｌ）により設定される。ユーザ装置（ＵＥ：Ｕｓｅｒ  Ｅｑｕｉｐｍｅｎｔ）がＳｅａｒｃｈ  Ｓｐａｃｅの設定を受信してから、Ｓｅａｒｃｈ  ｓｐａｃｅの設定に応じて、物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に対して検出を行う。該設計は、ある程度柔軟性を有するが、幾つかの場合において、柔軟性が依然として不十分である。
【０００４】
現在のメカニズムによれば、上記設定の変化はいずれもＲＲＣ設定により実現する。ＲＲＣ設定の遅延が大きく、通常数十から数百ミリ秒以上かかる。
【発明の概要】
【発明が解決しようとする課題】
【０００５】
上記技術的課題を解決するために、本発明の実施例は、リソース指示方法及び装置、コンピュータ記憶媒体を提供する。
【課題を解決するための手段】
【０００６】
本発明の実施例が提供するリソース指示方法は、
端末装置がネットワーク装置からの、アクティブ化する伝送リソース及び／又は非アクティブ化する伝送リソースを示すための第１指示情報を受信することと、
前記端末装置が前記第１指示情報に基づいて、アクティブ状態である伝送リソースで、下り制御チャネルを検出し、及び／又は、非アクティブ状態である伝送リソースで、下り制御チャネルを検出しないこととを含む。
【０００７】
本発明の実施例において、前記方法は、
前記端末装置が、前記ネットワーク装置からの第１設定情報を受信し、前記第１設定情報が、Ｎ個の伝送リソースに対して設定を行うか、又は一組の伝送リソースからＮ個の伝送リソースを選択するためのものであり、Ｎ≧２であり且つＮが整数であることを更に含む。
【０００８】
本発明の実施例において、前記第１設定情報は、ＲＲＣシグナリング、システム情報（ＳＩ：Ｓｙｓｔｅｍ  Ｉｎｆｏｒｍａｔｉｏｎ）、残存最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）、又は媒体アクセス制御制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）である。
【０００９】
本発明の実施例において、前記第１指示情報は、Ｍ１個の伝送リソースの指示情報を含み、Ｍ１は、正整数であり、第１伝送リソースは、前記Ｍ１個の伝送リソースのうちの１つの伝送リソースであり、ここで、
前記第１指示情報を受信する前に、前記第１伝送リソースがアクティブ状態である場合、前記第１指示情報を受信してから、前記第１伝送リソースを非アクティブ化し、及び／又は、
前記第１指示情報を受信する前に、前記第１伝送リソースが非アクティブ状態である場合、前記第１指示情報を受信してから、前記第１伝送リソースをアクティブ化する。
【００１０】
本発明の実施例において、前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数であり、第１伝送リソースは、前記Ｍ１個の伝送リソースのうちの１つの伝送リソースであり、ここで、
前記第１伝送リソースがアクティブ化指示情報に対応する場合、前記第１伝送リソースをアクティブ化するか又は前記第１伝送リソースをアクティブ状態に維持し、及び／又は、
前記第１伝送リソースが非アクティブ化指示情報に対応する場合、前記第１伝送リソースを非アクティブ化するか又は前記第１伝送リソースを非アクティブ状態に維持する。
【００１１】
本発明の実施例において、前記第１指示情報は、Ｍ１個の伝送リソースの指示情報を含み、Ｍ１は正整数であり、第１伝送リソースは、Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持する。
【００１２】
本発明の実施例において、前記伝送リソースとラベルは、対応関係にあり、前記第１指示情報は、前記Ｍ１個の伝送リソースにそれぞれ対応するラベルの指示情報を含む。
【００１３】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【００１４】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【００１５】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースをアクティブ化するか又は前記第１伝送リソースをアクティブ状態に維持し、及び／又は、
前記第１伝送リソースに対応するビットにおける値が第２数値であれば、前記第１伝送リソースを非アクティブ化するか又は前記第１伝送リソースを非アクティブ状態に維持する。
【００１６】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【００１７】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースの現在のアクティブ状態を非アクティブ状態に切り替えるか又は前記第１伝送リソースの現在の非アクティブ状態をアクティブ状態に切り替え、及び／又は、
前記第１伝送リソースに対応するビットにおける値が第２数値であれば、前記第１伝送リソースの現在のアクティブ状態をそのまま維持するか又は第１伝送リソースの現在の非アクティブ状態をそのまま維持する。
【００１８】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【００１９】
本発明の実施例において、前記方法は、
前記端末装置が、前記第１指示情報の受信に成功した旨の肯定応答メッセージを前記ネットワーク装置に送信することを更に含む。
【００２０】
本発明の実施例において、前記方法は、
前記端末装置が、アクティブ化をしようとする伝送リソースの指示情報及び／又は非アクティブ化をしようとする伝送リソースの指示情報を前記ネットワーク装置に送信することを更に含む。
【００２１】
本発明の実施例において、前記第１指示情報は、下り制御情報（ＤＣＩ：Ｄｏｗｎｌｉｎｋ  Ｃｏｎｔｒｏｌ  Ｉｎｆｏｒｍａｔｉｏｎ）、又はＭＡＣ  ＣＥである。
【００２２】
本発明の実施例において、前記第１指示情報がＤＣＩである場合、
前記ＤＣＩは、ＵＥ固有（ＵＥ−ｓｐｅｃｉｆｉｃ）に基づいたＤＣＩであり、又は、
前記ＤＣＩは、グループ共通（ｇｒｏｕｐ−ｃｏｍｍｏｎ）に基づいたＤＣＩである。
【００２３】
本発明の実施例において、前記第１指示情報がＤＣＩである場合、
前記ＤＣＩは、セル無線ネットワーク一時識別子（Ｃ−ＲＮＴＩ）によりスクランブリングされ、又は、
前記ＤＣＩは、専用無線ネットワーク一時識別子（専用ＲＮＴＩ）によりスクランブリングされ、又は、
前記ＤＣＩは、特定の無線ネットワーク一時識別子（ＲＮＴＩ）によりスクランブリングされる。
【００２４】
本発明の実施例において、前記伝送リソースは、サーチスペースであり、又は前記伝送リソースは、端末装置が下り制御チャネルをモニタリングするためのリソースである。
【００２５】
本発明の実施例が提供するリソース指示方法は、
端末装置がネットワーク装置からの第１設定情報を受信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応することと、
前記端末装置が前記ネットワーク装置からの第２指示情報を受信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであることとを含む。
【００２６】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【００２７】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【００２８】
本発明の実施例において、前記方法は、
前記端末装置が、前記第２指示情報の受信に成功した旨の肯定応答メッセージを前記ネットワーク装置に送信することを更に含む。
【００２９】
本発明の実施例において、前記方法は、
前記端末装置が、前記第１伝送リソースの少なくとも１つの伝送特性に対応する一組の望まれる設定情報を前記ネットワーク装置に送信することを更に含む。
【００３０】
本発明の実施例において、前記第１指示情報は、ＤＣＩ、又はＭＡＣ  ＣＥである。
【００３１】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【００３２】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【００３３】
本発明の実施例において、前記伝送リソースは、サーチスペースであり、又は前記伝送リソースは、端末装置が下り制御チャネルをモニタリングするためのリソースである。
【００３４】
本発明の実施例が提供するリソース指示方法は、
ネットワーク装置が端末装置に、アクティブ化する伝送リソース及び／又は非アクティブ化する伝送リソースを示すための第１指示情報を送信し、それによって、前記端末装置に、前記第１指示情報に基づいて、アクティブ状態である伝送リソースで、下り制御チャネルを検出させ、及び／又は非アクティブ状態である伝送リソースで、下り制御チャネルを検出させないことを含む。
【００３５】
本発明の実施例において、前記方法は、
前記ネットワーク装置が、前記端末装置に第１設定情報を送信し、前記第１設定情報が、Ｎ個の伝送リソースに対して設定を行うか、又は一組の伝送リソースからＮ個の伝送リソースを選択するためのものであり、Ｎ≧２であり且つＮが整数であることを更に含む。
【００３６】
本発明の実施例において、前記第１設定情報は、ＲＲＣシグナリング、ＳＩ、ＲＭＳＩ、又はＭＡＣ  ＣＥである。
【００３７】
本発明の実施例において、前記第１指示情報は、Ｍ１個の伝送リソースの指示情報及び／又は前記Ｍ１個の伝送リソースに対応するアクティブ化指示情報又は非アクティブ化指示情報を含み、Ｍ１は正整数である。
【００３８】
本発明の実施例において、前記伝送リソースとラベルは、対応関係にあり、前記第１指示情報は、前記Ｍ１個の伝送リソースにそれぞれ対応するラベルの指示情報を含む。
【００３９】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【００４０】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【００４１】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応する。
【００４２】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【００４３】
本発明の実施例において、前記方法は、
前記ネットワーク装置が、前記端末装置からの、前記第１指示情報の受信に成功した旨の肯定応答メッセージを受信することを更に含む。
【００４４】
本発明の実施例において、前記方法は、
前記ネットワーク装置が、前記端末装置からの、アクティブ化をしようとする伝送リソースの指示情報及び／又は非アクティブ化をしようとする伝送リソースの指示情報を受信することを更に含む。
【００４５】
本発明の実施例において、前記第１指示情報は、ＤＣＩ、又はＭＡＣ  ＣＥである。
【００４６】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【００４７】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【００４８】
本発明の実施例において、前記伝送リソースは、サーチスペースであり、又は前記伝送リソースは、端末装置が下り制御チャネルをモニタリングするためのリソースである。
【００４９】
本発明の実施例が提供するリソース指示方法は、
ネットワーク装置が、端末装置に第１設定情報を送信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応することと、
前記ネットワーク装置が前記端末装置に第２指示情報を送信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであることとを含む。
【００５０】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【００５１】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【００５２】
本発明の実施例において、前記方法は、
前記ネットワーク装置が、前記端末装置からの、前記第２指示情報の受信に成功した旨の肯定応答メッセージを受信することを更に含む。
【００５３】
本発明の実施例において、前記方法は、
前記ネットワーク装置が、前記端末装置からの、前記第１伝送リソースの少なくとも１つの伝送特性に対応する一組の望まれる設定情報を受信することを更に含む。
【００５４】
本発明の実施例において、前記第１指示情報は、ＤＣＩ、又はＭＡＣ  ＣＥである。
【００５５】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【００５６】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【００５７】
本発明の実施例において、前記伝送リソースは、サーチスペースであり、又は前記伝送リソースは、端末装置が下り制御チャネルをモニタリングするためのリソースである。
【００５８】
本発明の実施例が提供するリソース指示装置は、
ネットワーク装置からの、アクティブ化する伝送リソース及び／又は非アクティブ化する伝送リソースを示すための第１指示情報を受信するように構成される第１受信ユニットと、
前記第１指示情報に基づいて、アクティブ状態である伝送リソースで、下り制御チャネルを検出し、及び／又は、非アクティブ状態である伝送リソースで、下り制御チャネルを検出しないように構成される検出ユニットとを備える。
【００５９】
本発明の実施例において、前記装置は、
前記ネットワーク装置からの第１設定情報を受信し、前記第１設定情報が、Ｎ個の伝送リソースに対して設定を行うか、又は一組の伝送リソースからＮ個の伝送リソースを選択するためのものであり、Ｎ≧２であり且つＮが整数であるように構成される第２受信ユニットを更に備える。
【００６０】
本発明の実施例において、前記第１設定情報は、ＲＲＣシグナリング、ＳＩ、ＲＭＳＩ、又はＭＡＣ  ＣＥである。
【００６１】
本発明の実施例において、前記第１指示情報は、Ｍ１個の伝送リソースの指示情報を含み、Ｍ１は、正整数であり、第１伝送リソースは、前記Ｍ１個の伝送リソースのうちの１つの伝送リソースであり、ここで、
前記第１指示情報を受信する前に、前記第１伝送リソースがアクティブ状態である場合、前記第１指示情報を受信してから、前記第１伝送リソースを非アクティブ化し、及び／又は、
前記第１指示情報を受信する前に、前記第１伝送リソースが非アクティブ状態である場合、前記第１指示情報を受信してから、前記第１伝送リソースをアクティブ化する。
【００６２】
本発明の実施例において、前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数であり、第１伝送リソースは、前記Ｍ１個の伝送リソースのうちの１つの伝送リソースであり、ここで、
前記第１伝送リソースがアクティブ化指示情報に対応する場合、前記第１伝送リソースをアクティブ化するか又は前記第１伝送リソースをアクティブ状態に維持し、及び／又は、
前記第１伝送リソースが非アクティブ化指示情報に対応する場合、前記第１伝送リソースを非アクティブ化するか又は前記第１伝送リソースを非アクティブ状態に維持する。
【００６３】
本発明の実施例において、前記第１指示情報は、Ｍ１個の伝送リソースの指示情報を含み、Ｍ１は正整数であり、第１伝送リソースは、前記Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持する。
【００６４】
本発明の実施例において、前記伝送リソースとラベルは、対応関係にあり、前記第１指示情報は、前記Ｍ１個の伝送リソースにそれぞれ対応するラベルの指示情報を含む。
【００６５】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【００６６】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【００６７】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースをアクティブ化するか又は前記第１伝送リソースをアクティブ状態に維持し、及び／又は、
前記第１伝送リソースに対応するビットにおける値が第２数値であれば、前記第１伝送リソースを非アクティブ化するか又は前記第１伝送リソースを非アクティブ状態に維持する。
【００６８】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【００６９】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースの現在のアクティブ状態を非アクティブ状態に切り替えるか又は前記第１伝送リソースの現在の非アクティブ状態をアクティブ状態に切り替え、及び／又は、
前記第１伝送リソースに対応するビットにおける値が第２数値であれば、前記第１伝送リソースの現在のアクティブ状態をそのまま維持するか又は第１伝送リソースの現在の非アクティブ状態をそのまま維持する。
【００７０】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【００７１】
本発明の実施例において、前記装置は、
前記第１指示情報の受信に成功した旨の肯定応答メッセージを前記ネットワーク装置に送信するように構成される第１送信ユニットを更に備える。
【００７２】
本発明の実施例において、前記装置は、
アクティブ化をしようとする伝送リソースの指示情報及び／又は非アクティブ化をしようとする伝送リソースの指示情報を前記ネットワーク装置に送信するように構成される第２送信ユニットを更に備える。
【００７３】
本発明の実施例において、前記第１指示情報は、ＤＣＩ、又はＭＡＣ  ＣＥである。
【００７４】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【００７５】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【００７６】
本発明の実施例において、前記伝送リソースは、サーチスペースであり、又は前記伝送リソースは、端末装置が下り制御チャネルをモニタリングするためのリソースである。
【００７７】
本発明の実施例が提供するリソース指示装置は、
ネットワーク装置からの第１設定情報を受信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応するように構成される第１受信ユニットと、
前記ネットワーク装置からの第２指示情報を受信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであるように構成される第２受信ユニットとを備える。
【００７８】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【００７９】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【００８０】
本発明の実施例において、前記装置は、
前記第２指示情報の受信に成功した旨の肯定応答メッセージを前記ネットワーク装置に送信するように構成される第１送信ユニットを更に備える。
【００８１】
本発明の実施例において、前記装置は、
前記第１伝送リソースの少なくとも１つの伝送特性に対応する一組の望まれる設定情報を前記ネットワーク装置に送信するように構成される第２送信ユニットを更に備える。
【００８２】
本発明の実施例において、前記第１指示情報は、ＤＣＩ、又はＭＡＣ  ＣＥである。
【００８３】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【００８４】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【００８５】
本発明の実施例において、前記伝送リソースは、サーチスペースであり、又は前記伝送リソースは、端末装置が下り制御チャネルをモニタリングするためのリソースである。
【００８６】
本発明の実施例が提供するリソース指示装置は、
端末装置に、アクティブ化する伝送リソース及び／又は非アクティブ化する伝送リソースを示すための第１指示情報を送信し、それによって、前記端末装置に、前記第１指示情報に基づいて、アクティブ状態である伝送リソースで、下り制御チャネルを検出させ、及び／又は非アクティブ状態である伝送リソースで、下り制御チャネルを検出させないように構成される第１送信ユニットを備える。
【００８７】
本発明の実施例において、前記装置は、
前記端末装置に第１設定情報を送信し、前記第１設定情報が、Ｎ個の伝送リソースに対して設定を行うか、又は一組の伝送リソースからＮ個の伝送リソースを選択するためのものであり、Ｎ≧２であり且つＮが整数であるように構成される第２送信ユニットを更に備える。
【００８８】
本発明の実施例において、前記第１設定情報は、ＲＲＣシグナリング、ＳＩ、ＲＭＳＩ、又はＭＡＣ  ＣＥである。
【００８９】
本発明の実施例において、前記第１指示情報は、Ｍ１個の伝送リソースの指示情報及び／又は前記Ｍ１個の伝送リソースに対応するアクティブ化指示情報又は非アクティブ化指示情報を含み、Ｍ１は正整数である。
【００９０】
本発明の実施例において、前記伝送リソースとラベルは、対応関係にあり、前記第１指示情報は、前記Ｍ１個の伝送リソースにそれぞれ対応するラベルの指示情報を含む。
【００９１】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【００９２】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【００９３】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応する。
【００９４】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【００９５】
本発明の実施例において、前記装置は、
前記端末装置からの、前記第１指示情報の受信に成功した旨の肯定応答メッセージを受信するように構成される第１受信ユニットを更に備える。
【００９６】
本発明の実施例において、前記装置は、
前記端末装置からの、アクティブ化をしようとする伝送リソースの指示情報及び／又は非アクティブ化をしようとする伝送リソースの指示情報を受信するように構成される第２受信ユニットを更に備える。
【００９７】
本発明の実施例において、前記第１指示情報は、ＤＣＩ、又はＭＡＣ  ＣＥである。
【００９８】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【００９９】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０１００】
本発明の実施例において、前記伝送リソースは、サーチスペースであり、又は前記伝送リソースは、端末装置が下り制御チャネルをモニタリングするためのリソースである。
【０１０１】
本発明の実施例が提供するリソース指示装置は、
端末装置に第１設定情報を送信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応するように構成される第１送信ユニットと、
前記端末装置に第２指示情報を送信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであるように構成される第２送信ユニットとを備える。
【０１０２】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【０１０３】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【０１０４】
本発明の実施例において、前記装置は、
前記端末装置からの、前記第２指示情報の受信に成功した旨の肯定応答メッセージを受信するように構成される第１受信ユニットを更に備える。
【０１０５】
本発明の実施例において、前記装置は、
前記端末装置からの、前記第１伝送リソースの少なくとも１つの伝送特性に対応する一組の望まれる設定情報を受信するように構成される第２受信ユニットを更に備える。
【０１０６】
本発明の実施例において、前記第１指示情報は、ＤＣＩ、又はＭＡＣ  ＣＥである。
【０１０７】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０１０８】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０１０９】
本発明の実施例において、前記伝送リソースは、サーチスペースであり、又は前記伝送リソースは、端末装置が下り制御チャネルをモニタリングするためのリソースである。
【０１１０】
本発明の実施例が提供するコンピュータ記憶媒体には、コンピュータによる実行可能な命令が記憶されており、該コンピュータによる実行可能な命令がプロセッサにより実行される場合、上記リソース指示方法を実現させる。
【発明の効果】
【０１１１】
本発明の実施例の技術的解決手段において、１）端末装置がネットワーク装置からの、アクティブ化する伝送リソース及び／又は非アクティブ化する伝送リソースを示すための第１指示情報を受信し、前記端末装置が前記第１指示情報に基づいて、アクティブ状態である伝送リソースで、下り制御チャネルを検出し、及び／又は、非アクティブ状態である伝送リソースで、下り制御チャネルを検出しない。２）端末装置が、ネットワーク装置からの第１設定情報を受信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応し、前記端末装置が前記ネットワーク装置からの第２指示情報を受信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースである。本発明の実施例の技術的解決手段によれば、より柔軟な下り制御チャネル伝送メカリズムが導入され、ネットワーク側は、下り制御チャネルを伝送するための伝送リソースを動的に指示することができ、遅延を低下させると共に、柔軟性を向上させ、ＵＥの電力消費を改善する。
【図面の簡単な説明】
【０１１２】
【図１】本発明の実施例によるリソース指示方法を示す第１フローチャートである。
【図２】本発明の実施例によるリソース指示方法を示す第２フローチャートである。
【図３】本発明の実施例によるリソース指示方法を示す第３フローチャートである。
【図４】本発明の実施例によるリソース指示方法を示す第４フローチャートである。
【図５】本発明の実施例によるリソース指示装置の構造を示す第１概略図である。
【図６】本発明の実施例によるリソース指示装置の構造を示す第２概略図である。
【図７】本発明の実施例によるリソース指示装置の構造を示す第３概略図である。
【図８】本発明の実施例によるリソース指示装置の構造を示す第４概略図である。
【図９】本発明の実施例によるコンピュータ装置の構造を示す概略図である。
【０１１３】
ここで説明した添付図面は、本発明の一層の理解のために含めたものであり、本明細書に導入されてその一部となる。本発明の概略的な実施例及びその説明は、本発明の解説に用いるものであるが、本発明を不当に限定するものではない。
【発明を実施するための形態】
【０１１４】
本発明の実施例の技術的解決手段を理解しやすくするために、以下、本発明の実施例に関わる関連技術を説明する。
【０１１５】
ＮＲシステムにおいて、ネットワークは、１つ又は複数のＣＯＲＥＳＥＴを設定することができる。また、ネットワークは１つ又は複数のＳＳを設定することができる。各ＳＳは、１つのＣＯＲＥＳＥＴと関連付けられる。現在、ＮＲ設計において、ＣＯＲＥＳＥＴ及びＳＳはいずれもＲＲＣにより設定される。ＵＥは、ＳＳ設定を受信してから、ＳＳの設定に応じてＰＤＣＣＨに対して検出を行う。該設計には、ある程度の柔軟性があるが、幾つかの場合には、柔軟性が不十分である。具体的には、
１）データサービスが一般的には一定のバースト性を持つ。１つのｂｕｒｓｔが到来した場合、できるだけ伝送を迅速に行うことが望ましい。この場合、ＵＥによるＰＤＣＣＨの検出の周期が小さくして、短時間内で、より多くの伝送を取得することができる。期限になってもデータパケットが届かなかった場合、ＵＥによるＰＤＣＣＨの検出の周期が大きくして、電力消費を低下させる。
【０１１６】
２）ＵＥがシングルユーザの多入力多出力（ＳＵ−ＭＩＭＯ）を利用する場合、ネットワークは、ＵＥに、１つの簡単なＤＣＩ  ｆｏｒｍａｔ（例えば、ＤＣＩ  ｆｏｒｍａｔ  １＿０）のみを検出させて、電力消費を低下させることができる。該ＵＥとペアリングする必要がある他のユーザが存在する場合、マルチユーザの多入力多出力（ＭＵ−ＭＩＭＯ）を利用する時に、又は、将来ＵＥに複数のＴＲＰで伝送させる時に、性能を向上させるために、ネットワークは、ＵＥに、より多くのＤＣＩ  ｆｏｒｍａｔ（例えば、ＤＣＩ  ｆｏｒｍａｔ  １＿１）を検出させることができる。これらのｆｏｒｍａｔによって、より多くの機能設定を実現することができる。従って、ネットワーク性能を向上させることができる。上記例は、下り（ＤＬ）ＤＣＩ  ｆｏｒｍａｔに関するものであることを理解すべきである。
【０１１７】
３）ＵＥが徐々に基地局から離れる場合、カバレッジを確保するために、ネットワークは、高いアグリゲーションレベル（Ａｇｇｒｅｇａｔｉｏｎ  ｌｅｖｅｌ）で情報を伝送する必要がある（低いａｇｇｒｅｇａｔｉｏｎ  ｌｅｖｅｌで、受信性能を確保することができないためである）。この場合、ＵＥは、低いａｇｇｒｅｇａｔｉｏｎ  ｌｅｖｅｌにおける候補となるＰＤＣＣＨ（ＰＤＣＣＨ  ｃａｎｄｉｄａｔｅｓ）を検出する必要がある。逆に、ＵＥが基地局の近くにある場合、ネットワークは、低いＡｇｇｒｅｇａｔｉｏｎ  ｌｅｖｅｌのみで情報を伝送すれば、ＵＥ側の受信性能を確保することができる。
【０１１８】
現在のメカニズムによれば、上記設定の変化はいずれもＲＲＣ設定により実現する。ＲＲＣ設定の遅延が大きく、通常数十から数百ミリ秒以上かかる。従って、上記シーンにおける例に、より柔軟な変更メカニズムを導入することで、柔軟性を更に向上させ、ＵＥの電力消費を改善することができる。
【０１１９】
下記実施例に関わるアクティブ化及び非アクティブ化の意味をＵＥの視点から下記のように説明する。
【０１２０】
ある伝送リソースをアクティブ化することは、該ＵＥが、対応する伝送リソースで、下り制御チャネルを検出して行くことである。
【０１２１】
あるリソースがアクティブ状態であることは、該ＵＥは、対応する伝送リソースで、下り制御チャネルを検出する。
【０１２２】
ある伝送リソースを非アクティブ化することは、該ＵＥは、対応する伝送リソースで、下り制御チャネルを検出する必要がないか又は検出しない。
【０１２３】
あるリソースが非アクティブ状態であることは、該ＵＥは、対応する伝送リソースで、下り制御チャネルを検出する必要がないか又は検出しない。
【０１２４】
図１は、本発明の実施例によるリソース指示方法を示す第１フローチャートである。図１に示すように、前記リソース指示方法は、下記ステップを含む。
【０１２５】
ステップ１０１：端末装置がネットワーク装置からの、アクティブ化する伝送リソース及び／又は非アクティブ化する伝送リソースを示すための第１指示情報を受信する。
【０１２６】
本発明の実施例において、前記伝送リースは、端末装置が下り制御チャネルをモニタリングするためのリソースであり、例えばサーチスペース（Ｓｅａｒｃｈ  Ｓｐａｃｅ）である。
【０１２７】
一実施形態において、端末装置は、ネットワーク装置からの第１指示情報を受信してから、前記第１指示情報の受信に成功したことを示す肯定応答メッセージを前記ネットワーク装置に送信する。
【０１２８】
一実施形態において、前記端末装置は、アクティブ化をしようとする伝送リソースの指示情報及び／又は非アクティブ化をしようとする伝送リソースの指示情報を前記ネットワーク装置に送信する。これにより、ネットワーク装置は、これを参考として、端末のために、好適な指示を行う。
【０１２９】
一実施形態において、前記第１指示情報は、ＤＣＩ、又はＭＡＣ  ＣＥである。更に、前記第１指示情報がＤＣＩである場合、
１）前記ＤＣＩは、ＵＥ−ｓｐｅｃｉｆｉｃに基づいたＤＣＩであり、又は、前記ＤＣＩは、ｇｒｏｕｐ−ｃｏｍｍｏｎに基づいたＤＣＩである。
【０１３０】
２）前記ＤＣＩは、Ｃ−ＲＮＴＩによりスクランブリングされ、又は、前記ＤＣＩは、専用ＲＮＴＩによりスクランブリングされ、又は、前記ＤＣＩは、特定のＲＮＴＩによりスクランブリングされる。ここで、専用ＲＮＴＩとは、ＣＳ−ＲＮＴＩ、ＳＰ−ＣＳＩ−ＲＮＴＩ、ＴＰＣ−ＳＲＳ−ＲＮＴＩ等のような既存の専用ＲＮＴＩを指する。特定のＲＮＴＩとは、新たな専用ＲＮＴＩを指す。
【０１３１】
ステップ１０２：前記端末装置が前記第１指示情報に基づいて、アクティブ状態である伝送リソースで、下り制御チャネルを検出し、及び／又は、非アクティブ状態である伝送リソースで、下り制御チャネルを検出しない。
【０１３２】
本発明の実施例において、前記端末装置は、前記ネットワーク装置からの第１設定情報を受信する。前記第１設定情報は、Ｎ個の伝送リソースに対して設定を行うか、又は一組の伝送リソースからＮ個の伝送リソースを選択するためのものであり、Ｎ≧２であり且つＮが整数である。一実施形態において、前記第１設定情報は、ＲＲＣシグナリング、ＳＩ、ＲＭＳＩ、又はＭＡＣ  ＣＥである。
【０１３３】
本発明の実施例において、前記端末装置は、前記第１指示情報に基づいて、アクティブ化する伝送リソース及び／又は非アクティブ化する伝送リソースを決定することは、下記方式で実現する。
【０１３４】
方式１：前記第１指示情報には、Ｍ１個の伝送リソースの指示情報が含まれ、Ｍ１は正整数（１≦Ｍ１≦Ｎ）であり、第１伝送リソースは、前記Ｍ１個の伝送リソースのうちの１つの伝送リソースであり、前記第１指示情報を受信する前に、前記第１伝送リソースがアクティブ状態である場合、前記第１指示情報を受信してから、前記第１伝送リソースを非アクティブ化し、及び／又は、前記第１指示情報を受信する前に、前記第１伝送リソースが非アクティブ状態である場合、前記第１指示情報を受信してから、前記第１伝送リソースをアクティブ化する。
【０１３５】
伝送リソースがＳＳであることを例として、第１指示情報には、ＳＳ１の指示情報、ＳＳ２の指示情報、ＳＳ３の指示情報が含まれ、ここで、ＳＳ１の元の状態がアクティブ状態であり、ＳＳ２の元の状態が非アクティブ状態であり、ＳＳ３の元の状態が非アクティブ状態である。第１指示情報を受信してから、ＳＳ１の現在の状態を非アクティブ状態に切り替え、ＳＳ２の現在の状態をアクティブ状態に切り替え、ＳＳ３の現在の状態がアクティブ状態に切り替える。
【０１３６】
本発明の実施例において、前記伝送リソースの指示情報は、下記方式で実現する。
【０１３７】
１）前記伝送リソースとラベルは、対応関係にあり、前記第１指示情報は、前記Ｍ１個の伝送リソースにそれぞれ対応するラベルの指示情報を含み、又は、
２）前記伝送リソースとＫビットのビット情報は、対応関係にあり、Ｋは正整数であり、前記第１指示情報は、前記Ｍ１個の伝送リソースに対応するＫビットのビット情報を含む。例えば、００はＳＳ１に対応し、０１はＳＳ２に対応し、１０はＳＳ３に対応する。
【０１３８】
方式２：前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数（１≦Ｍ１≦Ｎ）であり、第１伝送リソースは、前記Ｍ１個の伝送リソースのうちの１つの伝送リソースであり、ここで、前記第１伝送リソースがアクティブ化指示情報に対応する場合、前記第１伝送リソースをアクティブ化するか又は前記第１伝送リソースをアクティブ状態に維持し、及び／又は、前記第１伝送リソースが非アクティブ化指示情報に対応する場合、前記第１伝送リソースを非アクティブ化するか又は前記第１伝送リソースを非アクティブ状態に維持する。
【０１３９】
伝送リソースがＳＳであることを例として、第１指示情報は、ＳＳ１の指示情報及び対応するアクティブ化指示情報、ＳＳ２の指示情報及び対応する非アクティブ化指示情報、ＳＳ３の指示情報及び対応するアクティブ化指示情報を含む。従って、ＳＳ１の元の状態がアクティブ状態であれば、ＳＳ１の現在の状態をアクティブ状態に維持し、ＳＳ１の元の状態が非アクティブ状態であれば、ＳＳ１の現在の状態をアクティブ状態に切り替える。ＳＳ２及びＳＳ３の場合は、同様である。
【０１４０】
本発明の実施例において、前記伝送リソースの指示情報及び対応するアクティブ化指示情報又は非アクティブ化指示情報は、下記方式により実現する。
【０１４１】
前記伝送リソースとＫビットのビット情報は、対応関係にあり、Ｋは正整数であり、前記アクティブ化指示情報又は非アクティブ化指示情報とＩビットのビット情報は、対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【０１４２】
例えば、２ビットのビット情報により伝送リソースを示す。００は、ＳＳ１に対応し、０１は、ＳＳ２に対応し、１０は、ＳＳ３に対応する。１ビットのビット情報によりアクティブ化又は非アクティブ化を示す。０は、非アクティブ化を表し、１は、アクティブ化を表す。００１は、ＳＳ１をアクティブ化することに対応し、０１０は、ＳＳ２を非アクティブ化することに対応し、１００は、ＳＳ３を非アクティブ化することに対応する。
【０１４３】
本発明の実施例において、各伝送リソースは、１つのアクティブ化指示情報又は非アクティブ化指示情報に対応し、又は、複数の伝送リソースは、１つのアクティブ化指示情報又は非アクティブ化指示情報に対応する。
【０１４４】
方式３：前記第１指示情報は、Ｍ１個の伝送リソースの指示情報を含み、Ｍ１は正整数（１≦Ｍ１≦Ｎ）であり、第１伝送リソースは、前記Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持する。
【０１４５】
本発明の実施例において、前記第１指示情報は２種類であり、１種は、アクティブ化のためのものであり、別の１種は、非アクティブ化のためのものである。
【０１４６】
伝送リソースがＳＳであることを例として、アクティブ化／非アクティブ化のための第１指示情報は、ＳＳ１の指示情報、ＳＳ２の指示情報、ＳＳ３の指示情報を含む。第１指示情報を受信してから、ＳＳ１、ＳＳ２及びＳＳ３は、いずれもアクティブ／非アクティブ状態にある。
【０１４７】
本発明の実施例において、前記伝送リソースの指示情報は、下記方式で実現する。
【０１４８】
１）前記伝送リソースとラベルは、対応関係にあり、前記第１指示情報は、前記Ｍ１個の伝送リソースにそれぞれ対応するラベルの指示情報を含み、又は、
２）前記伝送リソースとＫビットのビット情報は、対応関係にあり、Ｋは正整数であり、前記第１指示情報は、前記Ｍ１個の伝送リソースに対応するＫビットのビット情報を含む。例えば、００はＳＳ１に対応し、０１はＳＳ２に対応し、１０はＳＳ３に対応する。
【０１４９】
方式４：前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、前記第１伝送リソースに対応するビットにおける値が第１数値であれば、前記第１伝送リソースをアクティブ化するか又は前記第１伝送リソースをアクティブ状態に維持し、及び／又は、前記第１伝送リソースに対応するビットにおける値が第２数値であれば、前記第１伝送リソースを非アクティブ化するか又は前記第１伝送リソースを非アクティブ状態に維持する。
【０１５０】
一実施形態において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【０１５１】
例えば、ＤＣＩにおいて、５ビットにより第１ビットマップ情報を表す。設定されたＳＳの数は３である。５ビットのうちの最初の３つのビット又は最後の３つのビットをそれぞれ３つのＳＳに対応させる。各ビットの値は、対応するＳＳがアクティブ化又は非アクティブ化を必要とすることを表す。表１に示すように、３つのビットと３つのＳＳとの対応関係は以下のとおりである。
【表１】
2021520695.tif 000003
【０１５２】
例えば、該ＤＣＩにおいて、該３つのビットに対応する値が００１であると、ＳＳ１及びＳＳ２を非アクティブ化し、ＳＳ３をアクティブ化することを表す（０が非アクティブ化を表し、１がアクティブ化を表すと仮定する。逆に定義すればよい）。
【０１５３】
方式５：前記第１指示情報は第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、前記第１伝送リソースに対応するビットにおける値が第１数値であれば、前記第１伝送リソースの現在のアクティブ状態を非アクティブ状態に切り替えるか又は前記第１伝送リソースの現在の非アクティブ状態をアクティブ状態に切り替え、及び／又は、前記第１伝送リソースに対応するビットにおける値が第２数値であれば、前記第１伝送リソースの現在のアクティブ状態をそのまま維持するか又は第１伝送リソースの現在の非アクティブ状態をそのまま維持する。
【０１５４】
一実施形態において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【０１５５】
例えば、ＤＣＩにおいて、３ビットにより第１ビットマップ情報を表す。設定されたＳＳの数は２である。３ビットのうちの最初の２つのビット又は最後の２つのビットをそれぞれ２つのＳＳに対応させる。各ビットの値は、対応するＳＳのアクティブ状態／非アクティブ状態を変更又はそのまま維持する必要があるかを表す。表２に示すように、２つのビットと２つのＳＳとの対応関係は以下のとおりである。
【表２】
2021520695.tif 000004
【０１５６】
例えば、ＤＣＩにおいて、該２つのビットに対応する値が０１である場合、ＳＳ１の状態をそのままにし（即ち、元々、アクティブ状態であれば、現在、アクティブ状態を維持する。元々、非アクティブ状態であれば、現在、非アクティブ状態を維持する）、ＳＳ２の状態を変更し（即ち、元々、アクティブ状態であれば、現在、非アクティブ化する。元々、非アクティブ状態であれば、現在、アクティブ化する）ことを表す。該例において、０が状態をそのまま維持することを表し、１が状態を変更することを表すと仮定する。逆に定義すればよい。
【０１５７】
図２は、本発明の実施例によるリソース指示方法を示す第２フローチャートである。図２に示すように、前記リソース指示方法は下記ステップを含む。
【０１５８】
ステップ２０１：端末装置がネットワーク装置からの第１設定情報を受信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応する。
【０１５９】
本発明の実施例において、前記伝送リソースは、端末装置が下り制御チャネルをモニタリングするためのリソースであり、例えば、サーチスペース（Ｓｅａｒｃｈ  Ｓｐａｃｅ）である。
【０１６０】
一実施形態において、前記第１設定情報は、ＲＲＣシグナリング、ＳＩ、ＲＭＳＩ、又はＭＡＣ  ＣＥである。
【０１６１】
伝送リソースがＳＳであることを例として、各ＳＳの設定は、下記の５つの伝送特性の設定を含むことができる。
【０１６２】
・ＳＳ識別子の設定、
・ＤＣＩ  ｆｏｒｍａｔフォーマットの設定、
・ａｇｇｒｅｇａｔｉｏｎ  ｌｅｖｅｌにおけるＰＤＣＣＨ  ｃａｎｄｉｄａｔｅに関する設定、
・周期設定、
・所定の時間領域リソース範囲内の検出設定（例えば、１つのスロット内のどのシンボルがＰＤＣＣＨを検出する必要があるかに関わる設定）。
【０１６３】
ここで、ＤＣＩ  ｆｏｒｍａｔフォーマットの設定は、１組又は複数組の対応する設定情報を含んでもよい。ＰＤＣＣＨ  ｃａｎｄｉｄａｔｅの設定は、１組又は複数組の対応する設定情報を含んでもよい。周期設定は、１組又は複数組の対応する設定情報を含んでもよい。所定の時間領域リソース範囲内の検出設定は、１組又は複数組の対応する設定情報を含んでもよい。
【０１６４】
これに限定されず、各ＳＳの設定は、より多くの又はより少ない伝送特性の設定を含んでもよい。
【０１６５】
ステップ２０２：前記端末装置が前記ネットワーク装置からの第２指示情報を受信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースである。
【０１６６】
一実施形態において、端末装置は、ネットワーク装置からの第２指示情報を受信してから、前記第２指示情報の受信に成功したことを示す肯定応答メッセージを前記ネットワーク装置に送信する。
【０１６７】
一実施形態において、前記端末装置は、前記第１伝送リソースの少なくとも１つの伝送特性に対応する一組の望まれる設定情報を前記ネットワーク装置に送信する。これにより、ネットワーク装置は、これを参考として、端末のために、好適な指示を行う。
【０１６８】
一実施形態において、前記第１指示情報は、ＤＣＩ、又はＭＡＣ  ＣＥである。更に、前記第１指示情報がＤＣＩである場合、
１）前記ＤＣＩは、ＵＥ−ｓｐｅｃｉｆｉｃに基づいたＤＣＩであり、又は、前記ＤＣＩは、ｇｒｏｕｐ−ｃｏｍｍｏｎに基づいたＤＣＩである。
【０１６９】
２）前記ＤＣＩは、Ｃ−ＲＮＴＩによりスクランブリングされ、又は、前記ＤＣＩは、専用ＲＮＴＩによりスクランブリングされ、又は、前記ＤＣＩは、特定のＲＮＴＩによりスクランブリングされる。ここで、専用ＲＮＴＩとは、ＣＳ−ＲＮＴＩ、ＳＰ−ＣＳＩ−ＲＮＴＩ、ＴＰＣ−ＳＲＳ−ＲＮＴＩ等のような既存の専用ＲＮＴＩを指する。特定のＲＮＴＩとは、新たな専用ＲＮＴＩを指す。
【０１７０】
本発明の実施例において、前記第２指示情報は、第１伝送リソースの少なくとも１つの伝送特性に対応する一組の設定情報を決定するためのものであり、下記方式で実現する。
【０１７１】
方式１：前記第２指示情報は、前記少なくとも１つの伝送特性の指示情報と、前記少なくとも１つの伝送特性にそれぞれ対応する一組の設定情報の指示情報とを含む。
【０１７２】
例えば、ＳＳ１において、ＤＣＩ  ｆｏｒｍａｔフォーマットに対して、第１組｛ＤＣＩ  ｆｏｒｍａｔ  １＿０｝、第２組｛ＤＣＩ  ｆｏｒｍａｔ  １＿０，  ＤＣＩ  ｆｏｒｍａｔ  １＿１｝という２組の設定情報が設定され、その場合、ＤＣＩにより、ＳＳ１に関しては、ＤＣＩ  ｆｏｒｍａｔフォーマット設定におけるどの組を使用するかをＵＥに指示することができる。例えば、ＤＣＩ指示形態は以下のとおりである。
【０１７３】
ＳＳ１  ０／１（０は、第１組を表し、１は、第２組を表す）。
【０１７４】
ＳＳ２における２つの伝送特性が、２組の異なる設定を有する場合、ＤＣＩにおいて、ビットにより、どの特性に対応するかを直接的に指示することができる。例えば、ＤＣＩ指示形態は、以下のとおりである。
【０１７５】
ＳＳ２  特性１  ０／１（０は、第１組を表し、１は、第２組を表す）
ＳＳ２  特性２  ０／１（０は、第１組を表し、１は、第２組を表す）
方式２：前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定される。
【０１７６】
本方式において、暗黙の方式で、どの特性に関わる指示であるかを決定する（例えば、設定及びＤＣＩにおける位置の順番に応じて対応関係を決定する）。例えば、ＳＳ２における２つの伝送特性が、２組の異なる設定を有するとすれば、２つのビットにより、該２つの伝送特性にそれぞれ対応する設定情報を表し、１番目のビットは、特性１に対応し、２番目のビットは、特性２に対応する。０は、第１組を表し、１は第２組を表し、０１は、特性１に第１組の設定情報が用いられ、特性２に第２組の設定情報が用いられることを表す。
【０１７７】
本発明の実施例の技術的解決手段は、様々なシーンに適用可能である。例えば、
１）日常伝送において、ＵＥによる電力消費を低下させるために、ネットワークが、あるＵＥのために様々なＳｅａｒｃｈ  ｓｐａｃｅを設定し、その場合、
・該ＵＥサービスがビジーである場合、幾つか又はいずれかのｓｅａｒｃｈ  ｓｐａｃｅをアクティブ化し、及び／又は、別の幾つか又はいずれかのｓｅａｒｃｈ  ｓｐａｃｅを非アクティブ化する。サービスがビジーでない場合、幾つか又はいずれかのｓｅａｒｃｈ  ｓｐａｃｅを非アクティブ化し、及び／又は、別の幾つか又はいずれかのｓｅａｒｃｈ  ｓｐａｃｅをアクティブ化する。
【０１７８】
・システムがビジーであり、あるユーザのスケジューリング機会が低減した場合、幾つか又はいずれかのｓｅａｒｃｈ  ｓｐａｃｅを非アクティブ化し、及び／又は、別の幾つか又はいずれかのｓｅａｒｃｈ  ｓｐａｃｅをアクティブ化する。システムの負荷が小さく、該ＵＥのスケジューリング機会が多い場合、幾つか又はいずれかのｓｅａｒｃｈ  ｓｐａｃｅをアクティブ化し、及び／又は、別の幾つか又はいずれかのｓｅａｒｃｈ  ｓｐａｃｅを非アクティブ化する。
【０１７９】
２）ネットワークは、ｂｕｆｆｅｒサービスに基づいて、ＵＥによる検出を必要とするいずれか又は幾つかのｓｅａｒｃｈ  ｓｐａｃｅを決定する（サービス体験性能／電力消費との間で良好な妥協が得られる）：
・ＵＥが、ＰＤＣＣＨ（Ｏｐｐｏｒｔｕｎｉｔｙ  ｆｏｒ  ＤＲＸ）を受信しない状態からＰＤＣＣＨ（Ｏｎ  ｄｕｒａｔｉｏｎ）を受信する状態に切り替わる場合、ネットワークは、いずれか又は幾つかのｓｅａｒｃｈ  ｓｐａｃｅを利用するかをＵＥに指示する（即ち、どのようなｓｅａｒｃｈ  ｓｐａｃｅをアクティブ化するか）。
【０１８０】
・Ｏｎ  ｄｕｒａｔｉｏｎ期間において、データ伝送が完了すると、ネットワークは、ＤＣＩ又はＭＡＣ  ＣＥにより、全てのＳｅａｒｃｈ  ｓｐａｃｅを非アクティブ化することで、ｏｎ  ｄｕｒａｔｉｏｎを予定より早く終了し、ＰＤＣＣＨを受信しない状態（Ｏｐｐｏｒｔｕｎｉｔｙ  ｆｏｒ  ＤＲＸ）に切り替わる。
【０１８１】
３）ネットワークは、ｐａｇｉｎｇ情報の様々な状況に応じて、ＵＥによる検出を必要とするいずれか又は幾つかのｓｅａｒｃｈ  ｓｐａｃｅを決定する（サービス体験性能／電力消費との間で良好な妥協が得られる）。ＵＥが、ｐａｇｉｎｇメッセージを受信する場合、ｐａｇｉｎｇメッセージでｓｅａｒｃｈ  ｓｐａｃｅの指示情報を搬送し、又は、ｐａｇｉｎｇをスケジューリングするＤＣＩ情報で、ｓｅａｒｃｈ  ｓｐａｃｅの指示情報を搬送する。
【０１８２】
図３は、本発明の実施例によるリソース指示方法を示す第３フローチャートである。図３に示すように、前記リソース指示方法は下記ステップを含む。
【０１８３】
ステップ３０１：ネットワーク装置が端末装置に第１指示情報を送信し、前記第１指示情報が、アクティブ化する伝送リソース及び／又は非アクティブ化する伝送リソースを示すためのものであり、それによって、前記端末装置に、前記第１指示情報に基づいて、アクティブ状態である伝送リソースで、下り制御チャネルを検出させ、及び／又は非アクティブ状態である伝送リソースで、下り制御チャネルを検出させない。
【０１８４】
本発明の実施例において、前記方法は、
前記ネットワーク装置が、前記端末装置に第１設定情報を送信し、前記第１設定情報が、Ｎ個の伝送リソースに対して設定を行うか、又は一組の伝送リソースからＮ個の伝送リソースを選択するためのものであり、Ｎ≧２であり且つＮが整数であることを更に含む。
【０１８５】
本発明の実施例において、前記第１設定情報は、ＲＲＣシグナリング、ＳＩ、ＲＭＳＩ、又はＭＡＣ  ＣＥである。
【０１８６】
本発明の実施例において、前記第１指示情報は、Ｍ１個の伝送リソースの指示情報及び／又は前記Ｍ１個の伝送リソースに対応するアクティブ化指示情報又は非アクティブ化指示情報を含み、Ｍ１は正整数である。
【０１８７】
本発明の実施例において、前記伝送リソースとラベルは、対応関係にあり、前記第１指示情報は、前記Ｍ１個の伝送リソースにそれぞれ対応するラベルの指示情報を含む。
【０１８８】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【０１８９】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【０１９０】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応する。
【０１９１】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【０１９２】
本発明の実施例において、前記方法は、
前記ネットワーク装置が、前記端末装置からの、前記第１指示情報の受信に成功したことを示す肯定応答メッセージを受信することを更に含む。
【０１９３】
本発明の実施例において、前記方法は、
前記ネットワーク装置が、前記端末装置からの、アクティブ化をしようとする伝送リソースの指示情報及び／又は非アクティブ化をしようとする伝送リソースの指示情報を受信することを更に含む。
【０１９４】
本発明の実施例において、前記第１指示情報は、ＤＣＩ、又はＭＡＣ  ＣＥである。
【０１９５】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０１９６】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０１９７】
本発明の実施例において、前記伝送リソースは、サーチスペースであり、又は前記伝送リソースは、端末装置が下り制御チャネルをモニタリングするためのリソースである。
【０１９８】
図４は、本発明の実施例によるリソース指示方法を示す第４フローチャートである。図４に示すように、前記リソース指示方法は下記ステップを含む。
【０１９９】
ステップ４０１：ネットワーク装置が、端末装置に第１設定情報を送信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応する。
【０２００】
ステップ４０２：前記ネットワーク装置が前記端末装置に第２指示情報を送信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースである。
【０２０１】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【０２０２】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【０２０３】
本発明の実施例において、前記方法は、
前記ネットワーク装置が、前記端末装置からの、前記第２指示情報の受信に成功したことを示す肯定応答メッセージを受信することを更に含む。
【０２０４】
本発明の実施例において、前記方法は、
前記ネットワーク装置が、前記端末装置からの、前記第１伝送リソースの少なくとも１つの伝送特性に対応する一組の望まれる設定情報を受信することを更に含む。
【０２０５】
本発明の実施例において、前記第１指示情報は、ＤＣＩ、又はＭＡＣ  ＣＥである。
【０２０６】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０２０７】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０２０８】
本発明の実施例において、前記伝送リソースは、サーチスペースであり、又は前記伝送リソースは、端末装置が下り制御チャネルをモニタリングするためのリソースである。
【０２０９】
図５は、本発明の実施例によるリソース指示装置の構造を示す第１概略図である。図５に示すように、前記リソース指示装置は、
ネットワーク装置からの、アクティブ化する伝送リソース及び／又は非アクティブ化する伝送リソースを示すための第１指示情報を受信するように構成される第１受信ユニット５０１と、
前記第１指示情報に基づいて、アクティブ状態である伝送リソースで、下り制御チャネルを検出し、及び／又は、非アクティブ状態である伝送リソースで、下り制御チャネルを検出しないように構成される検出ユニット５０２とを備える。
【０２１０】
本発明の実施例において、前記装置は、
前記ネットワーク装置からの第１設定情報を受信し、前記第１設定情報が、Ｎ個の伝送リソースに対して設定を行うか、又は一組の伝送リソースからＮ個の伝送リソースを選択するためのものであり、Ｎ≧２であり且つＮが整数であるように構成される第２受信ユニット５０３を更に含む。
【０２１１】
本発明の実施例において、前記第１設定情報は、ＲＲＣシグナリング、ＳＩ、ＲＭＳＩ、又はＭＡＣ  ＣＥである。
【０２１２】
本発明の実施例において、前記第１指示情報は、Ｍ１個の伝送リソースの指示情報を含み、Ｍ１は、正整数であり、第１伝送リソースは、前記Ｍ１個の伝送リソースのうちの１つの伝送リソースであり、ここで、
前記第１指示情報を受信する前に、前記第１伝送リソースがアクティブ状態である場合、前記第１指示情報を受信してから、前記第１伝送リソースを非アクティブ化し、及び／又は、
前記第１指示情報を受信する前に、前記第１伝送リソースが非アクティブ状態である場合、前記第１指示情報を受信してから、前記第１伝送リソースをアクティブ化する。
【０２１３】
本発明の実施例において、前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数であり、第１伝送リソースは、前記Ｍ１個の伝送リソースのうちの１つの伝送リソースであり、ここで、
前記第１伝送リソースがアクティブ化指示情報に対応する場合、前記第１伝送リソースをアクティブ化するか又は前記第１伝送リソースをアクティブ状態に維持し、及び／又は、
前記第１伝送リソースが非アクティブ化指示情報に対応する場合、前記第１伝送リソースを非アクティブ化するか又は前記第１伝送リソースを非アクティブ状態に維持する。
【０２１４】
本発明の実施例において、前記第１指示情報は、Ｍ１個の伝送リソースの指示情報を含み、Ｍ１は正整数であり、第１伝送リソースは、前記Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持する。
【０２１５】
本発明の実施例において、前記伝送リソースとラベルは、対応関係にあり、前記第１指示情報は、前記Ｍ１個の伝送リソースにそれぞれ対応するラベルの指示情報を含む。
【０２１６】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【０２１７】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【０２１８】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースをアクティブ化するか又は前記第１伝送リソースをアクティブ状態に維持し、及び／又は、
前記第１伝送リソースに対応するビットにおける値が第２数値であれば、前記第１伝送リソースを非アクティブ化するか又は前記第１伝送リソースを非アクティブ状態に維持する。
【０２１９】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【０２２０】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースの現在のアクティブ状態を非アクティブ状態に切り替えるか又は前記第１伝送リソースの現在の非アクティブ状態をアクティブ状態に切り替え、及び／又は、
前記第１伝送リソースに対応するビットにおける値が第２数値であれば、前記第１伝送リソースの現在のアクティブ状態をそのまま維持するか又は第１伝送リソースの現在の非アクティブ状態をそのまま維持する。
【０２２１】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【０２２２】
本発明の実施例において、前記装置は、
前記第１指示情報の受信に成功したことを示す肯定応答メッセージを前記ネットワーク装置に送信するように構成される第１送信ユニット５０４を更に備える。
【０２２３】
本発明の実施例において、前記装置は、
アクティブ化をしようとする伝送リソースの指示情報及び／又は非アクティブ化をしようとする伝送リソースの指示情報を前記ネットワーク装置に送信するように構成される第２送信ユニット５０５を更に備える。
【０２２４】
本発明の実施例において、前記第１指示情報は、ＤＣＩ、又はＭＡＣ  ＣＥである。
【０２２５】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０２２６】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０２２７】
本発明の実施例において、前記伝送リソースは、サーチスペースであり、又は前記伝送リソースは、端末装置が下り制御チャネルをモニタリングするためのリソースである。
【０２２８】
図５に示したリソース指示装置における各ユニットの機能を、上記リソース指示方法に関わる説明を参照することで理解することが、当業者であれば理解すべきである。図５に示したリソース指示装置における各ユニットの機能は、プロセッサで実行されるプログラムにより実現してもよく、具体的な論理回路により実現してもよい。
【０２２９】
図６は、本発明の実施例によるリソース指示装置の構造を示す第２概略図である。図６に示すように、前記リソース指示装置は、
ネットワーク装置からの第１設定情報を受信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応するように構成される第１受信ユニット６０１と、
前記ネットワーク装置からの第２指示情報を受信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであるように構成される第２受信ユニット６０２とを備える。
【０２３０】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【０２３１】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【０２３２】
本発明の実施例において、前記装置は、
前記第２指示情報の受信に成功したことを示す肯定応答メッセージを前記ネットワーク装置に送信するように構成される第１送信ユニット６０３を更に備える。
【０２３３】
本発明の実施例において、前記装置は、
前記第１伝送リソースの少なくとも１つの伝送特性に対応する一組の望まれる設定情報を前記ネットワーク装置に送信するように構成される第２送信ユニット６０４を更に備える。
【０２３４】
本発明の実施例において、前記第１指示情報は、ＤＣＩ、又はＭＡＣ  ＣＥである。
【０２３５】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０２３６】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０２３７】
本発明の実施例において、前記伝送リソースは、サーチスペースであり、又は前記伝送リソースは、端末装置が下り制御チャネルをモニタリングするためのリソースである。
【０２３８】
図６に示したリソース指示装置における各ユニットの機能を、上記リソース指示方法に関わる説明を参照することで理解することが、当業者であれば理解すべきである。図６に示したリソース指示装置における各ユニットの機能は、プロセッサで実行されるプログラムにより実現してもよく、具体的な論理回路により実現してもよい。
【０２３９】
図７は、本発明の実施例によるリソース指示装置の構造を示す第３概略図である。図７に示すように、前記リソース指示装置は、
端末装置に、アクティブ化する伝送リソース及び／又は非アクティブ化する伝送リソースを示すための第１指示情報を送信し、それによって、前記端末装置に、前記第１指示情報に基づいて、アクティブ状態である伝送リソースで、下り制御チャネルを検出させ、及び／又は非アクティブ状態である伝送リソースで、下り制御チャネルを検出させないように構成される第１送信ユニット７０１を備える。
【０２４０】
本発明の実施例において、前記装置は、
前記端末装置に第１設定情報を送信し、前記第１設定情報が、Ｎ個の伝送リソースに対して設定を行うか、又は一組の伝送リソースからＮ個の伝送リソースを選択するためのものであり、Ｎ≧２であり且つＮが整数であるように構成される第２送信ユニット７０２を更に備える。
【０２４１】
本発明の実施例において、前記第１設定情報は、ＲＲＣシグナリング、ＳＩ、ＲＭＳＩ、又はＭＡＣ  ＣＥである。
【０２４２】
本発明の実施例において、前記第１指示情報は、Ｍ１個の伝送リソースの指示情報及び／又は前記Ｍ１個の伝送リソースに対応するアクティブ化指示情報又は非アクティブ化指示情報を含み、Ｍ１は正整数である。
【０２４３】
本発明の実施例において、前記伝送リソースとラベルは、対応関係にあり、前記第１指示情報は、前記Ｍ１個の伝送リソースにそれぞれ対応するラベルの指示情報を含む。
【０２４４】
本発明の実施例において、前記伝送リソースとＫビットのビット情報は、対応関係にあり、Ｋは正整数であり、前記第１指示情報は、前記Ｍ１個の伝送リソースに対応するＫビットのビット情報を含む。
【０２４５】
本発明の実施例において、前記伝送リソースとＫビットのビット情報は、対応関係にあり、Ｋは正整数であり、前記アクティブ化指示情報又は非アクティブ化指示情報は、Ｉビットのビット情報と対応関係にあり、前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数である。
【０２４６】
本発明の実施例において、前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応する。
【０２４７】
本発明の実施例において、前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定される。
【０２４８】
本発明の実施例において、前記装置は、
前記端末装置からの、前記第１指示情報の受信に成功したことを示す肯定応答メッセージを受信するように構成される第１受信ユニット７０３を更に備える。
【０２４９】
本発明の実施例において、前記装置は、
前記端末装置からの、アクティブ化をしようとする伝送リソースの指示情報及び／又は非アクティブ化をしようとする伝送リソースの指示情報を受信するように構成される第２受信ユニット７０４を更に備える。
【０２５０】
本発明の実施例において、前記第１指示情報は、ＤＣＩ、又はＭＡＣ  ＣＥである。
【０２５１】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０２５２】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０２５３】
本発明の実施例において、前記伝送リソースは、サーチスペースであり、又は前記伝送リソースは、端末装置が下り制御チャネルをモニタリングするためのリソースである。
【０２５４】
図７に示したリソース指示装置における各ユニットの機能を、上記リソース指示方法に関わる説明を参照することで理解することが、当業者であれば理解すべきである。図７に示したリソース指示装置における各ユニットの機能は、プロセッサで実行されるプログラムにより実現してもよく、具体的な論理回路により実現してもよい。
【０２５５】
図８は、本発明の実施例によるリソース指示装置の構造を示す第４概略図である。図８に示すように、前記リソース指示装置は、
端末装置に第１設定情報を送信し、前記第１設定情報が、Ｎ個の伝送リソースに対して設定を行うためのものであり、Ｎ≧１であり、且つＮが整数であり、ここで、各伝送リソースの設定には、Ｍ３個の伝送特性の設定が含まれ、Ｍ３≧１であり、且つＭ３が整数であり、各伝送特性が少なくとも一組の設定情報に対応するように構成される第１送信ユニット８０１と、
前記端末装置に第２指示情報を送信し、前記第２指示情報が、第１伝送リソースの少なくとも１つの伝送特性に対応する一組の設定情報を決定するためのものであり、前記第１伝送リソースが前記Ｎ個の伝送リソースのうちの１つの伝送リソースであるように構成される第２送信ユニット８０２とを備える。
【０２５６】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性の指示情報と、前記少なくとも１つの伝送特性にそれぞれ対応する一組の設定情報の指示情報とが含まれることを含む。
【０２５７】
本発明の実施例において、前記第２指示情報が、第１伝送リソースの少なくとも１つの伝送特性に対応する一組の設定情報を決定するためのものであることは、
前記第２指示情報には、前記少なくとも１つの伝送特性にそれぞれ対応する一組の設定情報の指示情報が含まれ、ここで、各組の設定情報に対応する伝送特性が、前記第２指示情報における前記設定情報の位置により決定されることを含む。
【０２５８】
本発明の実施例において、前記装置は、
前記端末装置からの、前記第２指示情報の受信に成功したことを示す肯定応答メッセージを受信するように構成される第１受信ユニット８０３を更に備える。
【０２５９】
本発明の実施例において、前記装置は、
前記端末装置からの、前記第１伝送リソースの少なくとも１つの伝送特性に対応する一組の望まれる設定情報を受信するように構成される第２受信ユニット８０４を更に備える。
【０２６０】
本発明の実施例において、前記第１指示情報は、ＤＣＩ、又はＭＡＣ  ＣＥである。
【０２６１】
本発明の実施例において、前記第１指示情報がＤＣＩである場合、
前記ＤＣＩは、ＵＥ−ｓｐｅｃｉｆｉｃに基づいたＤＣＩであり、又は、
前記ＤＣＩは、ｇｒｏｕｐ−ｃｏｍｍｏｎに基づいたＤＣＩである。
【０２６２】
本発明の実施例において、前記第１指示情報がＤＣＩである場合、
前記ＤＣＩは、Ｃ−ＲＮＴＩによりスクランブリングされ、又は、
前記ＤＣＩは、専用ＲＮＴＩによりスクランブリングされ、又は、
前記ＤＣＩは、特定のＲＮＴＩによりスクランブリングされる。
【０２６３】
本発明の実施例において、前記伝送リソースは、サーチスペースであり、又は前記伝送リソースは、端末装置が下り制御チャネルをモニタリングするためのリソースである。
【０２６４】
図８に示したリソース指示装置における各ユニットの機能を、上記リソース指示方法に関わる説明を参照することで理解することが、当業者であれば理解すべきである。図８に示したリソース指示装置における各ユニットの機能は、プロセッサで実行されるプログラムにより実現してもよく、具体的な論理回路により実現してもよい。
【０２６５】
本発明の実施例における上記リソース指示装置は、ソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、Ｕディスク、リムーバブルハードディスク、読み出し専用メモリ（ＲＯＭ：Ｒｅａｄ−ｏｎｌｙ Ｍｅｍｏｒｙ）、ディスク、又は光ディスクなど、プログラムコードを記憶可能な各種の媒体を含む。従って、本発明の実施例は、如何なる特定のハードウェアとソフトウェアの組み合わせにも限定されない。
【０２６６】
なお、本発明の実施例は、コンピュータによる実行可能な命令が記憶されているコンピュータ記憶媒体を更に提供し、該コンピュータによる実行可能な命令がプロセッサにより実行される時、本発明の実施例における上記リソース指示方法を実現させる。
【０２６７】
図９は、本発明の実施例によるコンピュータ装置の構造を示す概略図である。該コンピュータ装置は、端末装置であってもよく、ネットワーク装置であってもよい。図９に示すように、コンピュータ装置１００は、１つ又は複数の（図面には１つのみが示される）プロセッサ１００２（プロセッサ１００２は、マイクロプロセッサ（ＭＣＵ：Ｍｉｃｒｏ  Ｃｏｎｔｒｏｌｌｅｒ  Ｕｎｉｔ）又はプログラマブルロジックデバイス（ＦＰＧＡ：Ｆｉｅｌｄ  Ｐｒｏｇｒａｍｍａｂｌｅ  Ｇａｔｅ  Ａｒｒａｙ）等の処理装置を含んでもよいが、これらに限定されない）、データを記憶するためのメモリ１００４、及び通信のための伝送装置１００６を備えてもよい。図９に示した構成は模式的なものに過ぎず、上記電子装置の構成を限定するものではないことは、当業者であれば、理解すべきである。例えば、コンピュータ装置１００は、図９に示したものより多くユニット又は少ないユニットを備えてもよく、図９に示したものと異なる構成を備えてもよい。
【０２６８】
メモリ１００４は、本発明の実施例における方法に対応するプログラム命令／モジュールのようなアプリケーションのソフトウェアプログラム及びモジュールを記憶するためのものである。プロセッサ１００２は、メモリ１００４に記憶されているソフトウェアプログラム及びモジュールを実行することで、様々な機能のアプリケーション及びデータ処理を実行し、すなわち上記方法を実現させる。メモリ１００４は、高速ランダムメモリを含んでもよく、１つ又は複数の磁気記憶装置、フラッシュメモリ、その他の不揮発性固体記憶装置のような不揮発性メモリを含んでもよい。幾つかの実例において、メモリ１００４は、プロセッサ１００２に対して遠隔に設けられるメモリを更に含んでもよい。これらのリモートメモリは、ネットワークを介してコンピュータ装置１００に接続される。上記ネットワークは、インターネット、イントラネット、ローカルエリアネットワーク、移動体通信ネットワーク及びこれらの組み合わせを含むが、これらに限定されない。
【０２６９】
伝送装置１００６は、ネットワークを介してデータを送受信するように構成される。上記ネットワークの具体的な実例は、コンピュータ装置１００の通信業者により提供される無線ネットワークを含んでもよい。一実例において、伝送装置１００６は、ネットワークアダプタデバイス（ＮＩＣ：Ｎｅｔｗｏｒｋ  Ｉｎｔｅｒｆａｃｅ  Ｃｏｎｔｒｏｌｌｅｒ）を含み、それは、基地局を介して他のネットワーク装置と接続することで、インターネットと通信することができる。一実例において、伝送装置１００６は、無線方式でインターネットと通信するための無線周波数（ＲＦ：Ｒａｄｉｏ  Ｆｒｅｑｕｅｎｃｙ）モジュールであってもよい。
【０２７０】
本発明の実施例に記載の技術的解決手段は、矛盾しない限り、任意に組み合わせすることができる。
【０２７１】
本発明が提供する幾つかの実施例で開示した方法及びインテリジェント装置は、他の方式によって実現できることを理解すべきである。以上に記載した装置の実施例はただ例示的なもので、例えば、前記ユニットの分割はただロジック機能の分割であり、実際に実現する時に、他の分割方式によってもよい。例えば、複数のユニット又は組立体を組み合わせてもよく、別のシステムに組み込んでもよい。又は若干の特徴を無視してもよく、実行しなくてもよい。また、示したか或いは検討した相互間の結合、直接的な結合又は通信接続は、幾つかのインターフェイス、装置又はユニットによる間接的な結合又は通信接続であってもよく、電気的、機械的または他の形態であってもよい。
【０２７２】
分離部材として説明した上記ユニットは、物理的に別個のものであってもよく、そうでなくてもよい。ユニットとして示された部材は、物理的ユニットであってもよく、そうでなくてもよい。即ち、同一の位置に位置してもよく、複数のネットワークユニットに分布してもよい。実際の需要に応じてそのうちの一部又は全てのユニットにより本実施例の方策の目的を実現することができる。
【０２７３】
また、本発明の各実施例における各機能ユニットは一つの第２処理ユニットに集積されてもよく、各ユニットが物理的に別個のものとして存在してもよく、２つ以上のユニットが一つのユニットに集積されてもよい。上記集積したユニットは、ハードウェアの形で実現してもよく、ハードウェアとソフトウェアユニットの組み合わせという形で実現してもよい。
【０２７４】
以上は本発明の具体的な実施形態に過ぎず、本発明の保護の範囲はそれらに制限されるものではなく、当業者が本発明に開示された技術範囲内で容易に想到しうる変更や置換はいずれも、本発明の保護範囲内に含まれるべきである。
【図１】
2021520695.tif 000005
【図２】
2021520695.tif 000006
【図３】
2021520695.tif 000007
【図４】
2021520695.tif 000008
【図５】
2021520695.tif 000009
【図６】
2021520695.tif 000010
【図７】
2021520695.tif 000011
【図８】
2021520695.tif 000012
【図９】
2021520695.tif 000013
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
リソース指示方法であって、
端末装置が、ネットワーク装置からの、アクティブ化する伝送リソース及び／又は非アクティブ化する伝送リソースを示すための第１指示情報を受信することと、
前記端末装置が、前記第１指示情報に基づいて、アクティブ状態である伝送リソースで、下り制御チャネルを検出し、及び／又は、非アクティブ状態である伝送リソースで、下り制御チャネルを検出しないこととを含む、前記方法。
【請求項２】
前記方法は、
前記端末装置が、前記ネットワーク装置からの第１設定情報を受信し、前記第１設定情報が、Ｎ個の伝送リソースに対して設定を行うか、又は一組の伝送リソースからＮ個の伝送リソースを選択するためのものであり、Ｎ≧２であり且つＮが整数であることを更に含むことを特徴とする
請求項１に記載の方法。
【請求項３】
前記第１設定情報は、ＲＲＣシグナリング、システム情報（ＳＩ）、残存最小システム情報（ＲＭＳＩ）、又は媒体アクセス制御制御要素（ＭＡＣ  ＣＥ）であることを特徴とする
請求項２に記載の方法。
【請求項４】
前記第１指示情報は、Ｍ１個の伝送リソースの指示情報を含み、Ｍ１は、正整数であり、第１伝送リソースは、前記Ｍ１個の伝送リソースのうちの１つの伝送リソースであり、ここで、
前記第１指示情報を受信する前に、前記第１伝送リソースがアクティブ状態である場合、前記第１指示情報を受信してから、前記第１伝送リソースを非アクティブ化し、又は、
前記第１指示情報を受信する前に、前記第１伝送リソースが非アクティブ状態である場合、前記第１指示情報を受信してから、前記第１伝送リソースをアクティブ化することを特徴とする
請求項１から３のいずれか一項に記載の方法。
【請求項５】
前記第１指示情報は、Ｍ１個の伝送リソースの指示情報と、前記Ｍ１個の伝送リソースに対応するアクティブ化指示情報又は非アクティブ化指示情報とを含み、Ｍ１は、正整数であり、第１伝送リソースは、前記Ｍ１個の伝送リソースのうちの１つの伝送リソースであり、ここで、
前記第１伝送リソースがアクティブ化指示情報に対応する場合、前記第１伝送リソースをアクティブ化するか又は前記第１伝送リソースをアクティブ状態に維持し、又は、
前記第１伝送リソースが非アクティブ化指示情報に対応する場合、前記第１伝送リソースを非アクティブ化するか又は前記第１伝送リソースを非アクティブ状態に維持することを特徴とする
請求項１から３のいずれか一項に記載の方法。
【請求項６】
前記第１指示情報は、Ｍ１個の伝送リソースの指示情報を含み、Ｍ１は正整数であり、第１伝送リソースは、Ｍ１個の伝送リソースのうちの１つの伝送リソースであり、前記第１伝送リソースをアクティブ化するか又は前記第１伝送リソースをアクティブ状態に維持し、又は、前記第１伝送リソースを非アクティブ化するか又は前記第１伝送リソースを非アクティブ状態に維持することを特徴とする
請求項１から３のいずれか一項に記載の方法。
【請求項７】
前記伝送リソースとラベルは、対応関係にあり、前記第１指示情報は、前記Ｍ１個の伝送リソースにそれぞれ対応するラベルの指示情報を含むことを特徴とする
請求項１から６のいずれか一項に記載の方法。
【請求項８】
前記伝送リソースとＫビットのビット情報は、対応関係にあり、Ｋは正整数であり、前記第１指示情報は、前記Ｍ１個の伝送リソースに対応するＫビットのビット情報を含むことを特徴とする
請求項１から７のいずれか一項に記載の方法。
【請求項９】
前記伝送リソースとＫビットのビット情報は、対応関係にあり、Ｋは正整数であり、前記アクティブ化指示情報又は非アクティブ化指示情報は、Ｉビットのビット情報と対応関係にあり、
前記第１指示情報は、前記Ｍ１個の伝送リソースにそれぞれ対応するＬビットのビット情報を含み、ここで、前記Ｌビットのビット情報のうちのＫビットのビット情報は、前記伝送リソースの指示情報を表し、前記Ｌビットのビット情報のうちのＩビットのビット情報は、前記伝送リソースに対応するアクティブ化指示情報又は非アクティブ化指示情報を表し、１≦Ｉ≦Ｌ−Ｋであり、且つＩは整数であることを特徴とする
請求項１から８のいずれか一項に記載の方法。
【請求項１０】
リソース指示装置であって、
ネットワーク装置からの、アクティブ化する伝送リソース及び／又は非アクティブ化する伝送リソースを示すための第１指示情報を受信するように構成される第１受信ユニットと、
前記第１指示情報に基づいて、アクティブ状態である伝送リソースで、下り制御チャネルを検出し、及び／又は、非アクティブ状態である伝送リソースで、下り制御チャネルを検出しないように構成される検出ユニットとを備える、リソース決定装置。
【請求項１１】
前記第１指示情報は、第１ビットマップ情報を含み、前記第１ビットマップ情報は、Ｍ２個のビットにより表され、Ｍ２≧Ｎであり、且つＭ２は整数であり、前記Ｍ２個のビットのうちのＮ個のビットは、前記Ｎ個の伝送リソースに一対一に対応し、第１伝送リソースは、前記Ｎ個の伝送リソースのうちの１つの伝送リソースであり、ここで、
前記第１伝送リソースに対応するビットにおける値が第１数値であれば、前記第１伝送リソースをアクティブ化するか又は前記第１伝送リソースをアクティブ状態に維持し、又は、前記第１伝送リソースの現在のアクティブ状態を非アクティブ状態に切り替えるか又は前記第１伝送リソースの現在の非アクティブ状態をアクティブ状態に切り替え、又は、
前記第１伝送リソースに対応するビットにおける値が第２数値であれば、前記第１伝送リソースを非アクティブ化するか又は前記第１伝送リソースを非アクティブ状態に維持し、又は、前記第１伝送リソースの現在のアクティブ状態をそのまま維持するか又は第１伝送リソースの現在の非アクティブ状態をそのまま維持することを特徴とする
請求項１０に記載の装置。
【請求項１２】
前記Ｍ２個のビットのうちのＮ個のビットと前記Ｎ個の伝送リソースとの対応関係は、プロトコルで規定されたルール、ＲＲＣ設定、ＭＡＣ  ＣＥ指示のうちの少なくとも１つにより決定されることを特徴とする
請求項１１に記載の装置。
【請求項１３】
前記装置は、
前記第１指示情報の受信に成功したことを示す肯定応答メッセージを前記ネットワーク装置に送信するように構成される第１送信ユニット、又は
アクティブ化をしようとする伝送リソースの指示情報及び／又は非アクティブ化をしようとする伝送リソースの指示情報を前記ネットワーク装置に送信するように構成される第２送信ユニットを更に備えることを特徴とする
請求項１１又は１２に記載の装置。
【請求項１４】
前記第１指示情報は、ＤＣＩ、又はＭＡＣ  ＣＥであり、
前記第１指示情報がＤＣＩである場合、前記ＤＣＩは、ＵＥ−ｓｐｅｃｉｆｉｃに基づいたＤＣＩであり、又は、ｇｒｏｕｐ−ｃｏｍｍｏｎに基づいたＤＣＩであり、Ｃ−ＲＮＴＩによりスクランブリングされ、又は、専用ＲＮＴＩによりスクランブリングされ、又は、特定のＲＮＴＩによりスクランブリングされることを特徴とする
請求項１１に記載の装置。
【請求項１５】
前記伝送リソースは、サーチスペースであり、又は前記伝送リソースは、端末装置が下り制御チャネルをモニタリングするためのリソースであることを特徴とする
請求項１１に記載の装置。
【国際調査報告】
2021520695.tif 000014
2021520695.tif 000015
2021520695.tif 000016
2021520695.tif 000017